【手続補正書】
【提出日】平成31年2月22日(2019.2.22)
【手続補正１】
【補正対象書類名】特許請求の範囲
【補正対象項目名】全文
【補正方法】変更
【補正の内容】
【特許請求の範囲】
【請求項１】
熱膨張性シートにおける熱膨張層と重なるように且つ所定の平面形状となるように前記熱膨張性シート上に光熱変換層を設け、
前記光熱変換層への光照射により前記光熱変換層を発熱させて前記光熱変換層に重なる領域の前記熱膨張層を膨張させることで、前記熱膨張性シートの表面に前記平面形状に対応した凸状部を形成する表面凹凸形成方法であって、
前記熱膨張層の膨張に伴う前記熱膨張性シートの表面隆起高さが第１の高さに隆起する第１の領域と前記第１の高さよりも高い第２の高さに隆起する第２の領域とが急峻に連なるような前記凸状部を形成する場合には、前記光熱変換層を設ける際に、前記第１の領域と前記第２の領域との間の境界に対応する境界領域に対しては前記光熱変換層の濃度値を前記表面隆起高さが前記第１の高さになる濃度値よりも低い値に設定することを特徴とする表面凹凸形成方法。
【請求項２】
熱膨張性シートにおける熱膨張層と重なるように且つ所定の平面形状となるように前記熱膨張性シート上に光熱変換層を設け、
前記光熱変換層への光照射により前記光熱変換層を発熱させて前記光熱変換層に重なる領域の前記熱膨張層を膨張させることで、前記熱膨張性シートの表面に前記平面形状に対応した凸状部を形成する表面凹凸形成方法であって、
前記熱膨張層の膨張に伴う前記熱膨張性シートの表面隆起高さが第１の高さに隆起する第１の領域と前記第１の高さよりも高い第２の高さに隆起する第２の領域とが急峻に連なるような前記凸状部を形成する場合には、前記光熱変換層を設ける際に、前記第１の領域と前記第２の領域との間の境界に対応する境界領域に対しては前記光熱変換層の濃度値をゼロに設定することを特徴とする表面凹凸形成方法。
【請求項３】
前記第１の領域と前記第２の領域との間の境界に対応する境界領域の範囲は、前記熱膨張性シートの種類又は前記光熱変換層を設ける前記熱膨張性シートの面の少なくとも一方に応じて決定されることを特徴とする請求項１又は２に記載の表面凹凸形成方法。
【請求項４】
前記第１の領域と前記第２の領域との間の境界に対応する境界領域を所定の範囲内に設定した前記熱膨張性シートに前記光照射を行った場合、前記境界領域の前記熱膨張層の膨張高さは、前記第１の領域と等しいことを特徴とする請求項1乃至３のいずれか１項に記載の表面凹凸形成方法。
【請求項５】
前記第１の領域と前記第２の領域との間の境界に対応する境界領域を所定の範囲よりも狭く設定した前記熱膨張性シートに前記光照射を行った場合、前記境界領域の前記熱膨張層の膨張高さは、前記第１の高さよりも高いこと特徴とする請求項1乃至４のいずれか１項に記載の表面凹凸形成方法。
【請求項６】
前記第１の領域と前記第２の領域との間の境界に対応する境界領域を所定の範囲よりも広く設定した前記熱膨張性シートに前記光照射を行った場合、前記境界領域の前記熱膨張層の膨張高さは、前記第１の高さよりも低いこと特徴とする請求項1乃至５のいずれか１項に記載の表面凹凸形成方法。
【請求項７】
熱膨張性シートにおける熱膨張層と重なるように且つ所定の平面形状となるように前記熱膨張性シート上に光熱変換層を設け、
前記光熱変換層への光照射により前記光熱変換層を発熱させて前記光熱変換層に重なる領域の前記熱膨張層を膨張させることで、前記熱膨張性シートの表面に前記平面形状に対応した凸状部を形成する表面凹凸形成方法であって、
前記熱膨張層の膨張に伴う前記熱膨張性シートの表面隆起高さが第１の高さに隆起する第１の領域と第２の高さに隆起する第２の領域との間である第３の領域に、当該第１の高さ及び当該第２の高さよりも低い第３の高さに隆起する凹部を形成する場合には、前記光熱変換層を設ける際に、前記第３の領域及び前記第１の領域の間の境界に対応する境界領域並びに前記第３の領域及び前記第２の領域の間の境界に対応する境界領域に対しては、前記光熱変換層の濃度値を前記表面隆起高さが前記第１の高さ及び前記第２の高さになる濃度値よりも低い値に設定することを特徴とする表面凹凸形成方法。
【請求項８】
前記第３の領域が所定の範囲より狭い場合、当該第３の領域の中心領域に対しては前記光熱変換層の濃度値を前記表面隆起高さが前記第３の高さになる濃度値に設定することを特徴とする請求項７に記載の表面凹凸形成方法。
【手続補正２】
【補正対象書類名】明細書
【補正対象項目名】発明の名称
【補正方法】変更
【補正の内容】
【発明の名称】表面凹凸形成方法
【手続補正３】
【補正対象書類名】明細書
【補正対象項目名】０００１
【補正方法】変更
【補正の内容】
【０００１】
本発明は、表面凹凸形成方法に関する。
【手続補正４】
【補正対象書類名】明細書
【補正対象項目名】０００６
【補正方法】変更
【補正の内容】
【０００６】
本発明の一態様は、熱膨張性シートにおける熱膨張層と重なるように且つ所定の平面形状となるように前記熱膨張性シート上に光熱変換層を設け、前記光熱変換層への光照射により前記光熱変換層を発熱させて前記光熱変換層に重なる領域の前記熱膨張層を膨張させることで、前記熱膨張性シートの表面に前記平面形状に対応した凸状部を形成する表面凹凸形成方法であって、前記熱膨張層の膨張に伴う前記熱膨張性シートの表面隆起高さが第１の高さに隆起する第１の領域と前記第１の高さよりも高い第２の高さに隆起する第２の領域とが急峻に連なるような前記凸状部を形成する場合には、前記光熱変換層を設ける際に、前記第１の領域と前記第２の領域との間の境界に対応する境界領域に対しては前記光熱変換層の濃度値を前記表面隆起高さが前記第１の高さになる濃度値よりも低い値に設定することを特徴とする表面凹凸形成方法を提供する。
【手続補正５】
【補正対象書類名】明細書
【補正対象項目名】０００７
【補正方法】変更
【補正の内容】
【０００７】
本発明の別の態様は、熱膨張性シートにおける熱膨張層と重なるように且つ所定の平面形状となるように前記熱膨張性シート上に光熱変換層を設け、前記光熱変換層への光照射により前記光熱変換層を発熱させて前記光熱変換層に重なる領域の前記熱膨張層を膨張させることで、前記熱膨張性シートの表面に前記平面形状に対応した凸状部を形成する表面凹凸形成方法であって、前記熱膨張層の膨張に伴う前記熱膨張性シートの表面隆起高さが第１の高さに隆起する第１の領域と前記第１の高さよりも高い第２の高さに隆起する第２の領域とが急峻に連なるような前記凸状部を形成する場合には、前記光熱変換層を設ける際に、前記第１の領域と前記第２の領域との間の境界に対応する境界領域に対しては前記光熱変換層の濃度値をゼロに設定することを特徴とする表面凹凸形成方法を提供する。
【手続補正６】
【補正対象書類名】明細書
【補正対象項目名】０００８
【補正方法】変更
【補正の内容】
【０００８】
本発明の更に別の態様は、熱膨張性シートにおける熱膨張層と重なるように且つ所定の平面形状となるように前記熱膨張性シート上に光熱変換層を設け、前記光熱変換層への光照射により前記光熱変換層を発熱させて前記光熱変換層に重なる領域の前記熱膨張層を膨張させることで、前記熱膨張性シートの表面に前記平面形状に対応した凸状部を形成する表面凹凸形成方法であって、前記熱膨張層の膨張に伴う前記熱膨張性シートの表面隆起高さが第１の高さに隆起する第１の領域と第２の高さに隆起する第２の領域との間である第３の領域に、当該第１の高さ及び当該第２の高さよりも低い第３の高さに隆起する凹部を形成する場合には、前記光熱変換層を設ける際に、前記第３の領域及び前記第１の領域の間の境界に対応する境界領域並びに前記第３の領域及び前記第２の領域の間の境界に対応する境界領域に対しては、前記光熱変換層の濃度値を前記表面隆起高さが前記第１の高さ及び前記第２の高さになる濃度値よりも低い値に設定することを特徴とする表面凹凸形成方法を提供する。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】